(57)【要約】【課題】容易で簡単に且つ強度よく製作でき、内部空間を広狭自在に使用でき、扉や棚板も自在に取り付けできる現地製作型壁面収納家具及びその製作方法の提供を課題とする。【解決手段】家具底板１０、家具天板２０、家具側板３０、基礎横木４０、鉤形枠柱５０を少なくとも有し、家具底板１０は、その一辺を壁面Ｗに当接させた状態で水平状態に床面Ｆに固定され、基礎横木４０は、家具底板１０に対応して壁面Ｗ上部に水平状態に固定されると共にその下面に家具天板２０の一辺を受け入れて係合させる係合段部を備え、一対の鉤形枠柱５０は、縦柱部で家具底板１０の両コーナ部に凹凸嵌合して立設されると共に横柱部の先端が壁面Ｗに当接され、家具天板２０はその一辺で基礎横木４０の係合段部に係合されると共に一対の鉤形枠柱５０の横柱部上に載せられた状態でそれぞれ基礎横木４０と鉤形枠柱５０に固定されている。【選択図】      図１
2008121327.tif 000002
【特許請求の範囲】
【請求項１】
所定の設置位置において直接的に製作する現地製作型壁面収納家具であって、略長方形状のレベルアジャスター付き家具底板と、家具の天井をなす家具天板と、家具の側壁をなす一対の家具側板と、壁面に対して固定される基礎横木と、縦柱部と横柱部とからなり前記家具底板にそれぞれ立設される一対の鉤形枠柱とを少なくとも有し、前記家具底板は、その一辺を壁面に当接させた状態で水平状態に床面に固定され、前記基礎横木は、前記家具底板に対応して壁面上部に水平状態に固定されると共にその下面に前記家具天板の一辺を受け入れて係合させる係合段部を備え、前記一対の鉤形枠柱は、その縦柱部で前記家具底板の両コーナ部に凹凸嵌合して立設されると共にその横柱部の先端が壁面に当接され、前記家具天板は、その一辺で前記基礎横木の係合段部に係合されると共に前記一対の鉤形枠柱の横柱部上に載せられた状態でそれぞれ基礎横木と鉤形枠柱に固定されていることを特徴とする現地製作型壁面収納家具。
【請求項２】
鉤形枠柱を、家具底板の両コーナ部以外の中間にも立設させることを特徴とする請求項１に記載の現地製作型壁面収納家具。
【請求項３】
鉤形枠柱の縦柱部に棚受アームを取り付けることを特徴とする請求項１又は２に記載の現地製作型壁面収納家具。
【請求項４】
鉤形枠柱の縦柱部に扉取付け金具を取り付けることを特徴とする請求項１〜３の何れかに記載の現地製作型壁面収納家具。
【請求項５】
所定の設置位置において直接的に製作する現地製作型壁面収納家具の製作方法であって、略長方形状のレベルアジャスター付き家具底板と、家具の天井をなす家具天板と、家具の側壁をなす一対の家具側板と、下面に前記家具天板の一辺を受け入れて係合させる係合段部を備えた基礎横木と、縦柱部と横柱部とからなり前記家具底板にそれぞれ立設される一対の鉤形枠柱とを少なくとも用い、所定の配置場所において、前記家具底板の一辺を壁面に接した状態にして設置すると共にレベルアジャスターにより家具底板を水平状態に調整し、次に前記一対の鉤形枠柱を用いて該鉤形枠柱の到達高さ位置の壁面に前記基礎横木を水平配置して固定し、次に前記一対の鉤形枠柱をその縦柱部で前記家具底板の両コーナ部に凹凸嵌合させて立設すると共にその横柱部の先端を前記壁面に当接させ、次に前記家具天板をその一辺で前記基礎横木の係合段部に係合させると共に前記一対の鉤形枠柱の横柱部上に載せて、それぞれ前記基礎横木及び鉤形枠柱に固定し、その後、前記家具底板を床に固定することを特徴とする現地製作型壁面収納家具の製作方法。
【請求項６】
一対の鉤形枠柱を家具底板の両コーナ部に立設させる際に、他の鉤形枠柱を前記両コーナ部以外の中間にも立設することを特徴とする請求項５に記載の現地製作型壁面収納家具の製作方法。
【請求項７】
立設された鉤形枠柱の縦柱部に棚受アームを取り付けることを特徴とする請求項５又は６に記載の現地製作型壁面収納家具の製作方法。
【請求項８】
立設された鉤形枠柱の縦柱部に扉取付け金具を取り付けることを特徴とする請求項５〜７の何れかに記載の現地製作型壁面収納家具の製作方法。
【発明の詳細な説明】
【技術分野】
【０００１】
本発明は、所定の設置位置において直接的に製作する現地製作型壁面収納家具及びその製作方法に関する。
【背景技術】
【０００２】
物を収納する家具としては、予め完成された既成収納家具がある。既成家具の場合は、予め寸法等が定まっているため、大きすぎたり小さすぎたりするなど、配置したい場所のスペースに対して適合しないという問題があった。
一方、所定の設置位置において現地製作する据付の収納家具もある。この据付家具の場合には、現地の寸法に合わせて製作することができるので、スペースを有効に利用することができるメリットがある。その一方、現地での製作の場合、多数の部品を組み立てるのが面倒であるほか、一般に作業スペースの小さい場所での作業を強いられるなど、製作のための設備、作業環境が十分でない場合が多く、時間とコストが係るという問題があった。
特許文献１は棚構造に関し、棚板に物品を載設しながら長尺物の収納も行えるようにした構造が開示されている。
また特許文献２には、壁面に着脱自在に取付可能な棚板を活用して収納可能重量の大きな壁面収納装置が開示されている。
また特許文献３には、ＡＶ機器収納部２と壁面収納部３とテレビ設置用スペース４を設けた壁面収納ユニットが提供されている。
【特許文献１】実公平５−２２１００号公報
【特許文献２】特開２００６−２３８９３０号公報
【特許文献３】特開２００６−４１９１７号公報
【発明の開示】
【発明が解決しようとする課題】
【０００３】
しかし上記従来の壁面収納家具は、既成家具であっても据付家具であっても、何れも仕切板を枠構成部材とした箱体をもって構成されていた。このため収納家具の内部空間を分割的に利用する場合においても、仕切板が用いられるため、一旦内部空間が仕切板によって分割されてしまうと、収納家具の内部空間が完全に区切られてしまい、大きな空間を小さな空間と共に残すことが難しくなる等、壁面収納家具内に大小の空間を自在に混在させることが難しい問題があった。
特に壁面収納家具では、前面部が扉等になっている場合が多いため、棚等を設ける場合には、収納家具の奥の方に棚受けを設けて、棚を設置する必要があった。このため、棚を設置する壁面収納家具においては、その壁面収納家具の奥の方には、スペースの広い収納空間を設けることが難しい問題があった。また収納家具の奥に棚受けを設けるためには、棚受けを取り付けるための背板を収納家具に設ける必要があった。
また壁面収納家具の前面部に扉を取り付ける場合には、扉の兆番を取り付ける部材が必要となるが、従来の壁面収納家具の場合には、仕切板を用いて兆番を取り付けるようにしていたため、扉を多くすれば、収納家具内部の仕切板の数も多くなり、扉を多くすれば収納家具の収納空間もまた小さく分割されてしまうという問題があった。
【０００４】
そこで本発明は上記従来の収納家具における問題を解消し、現地において容易で簡単に且つ強度よく組み上げて製作することができ、また収納家具の構成に仕切板の使用を少なくし、内部空間を広狭自在に使用することが可能であると共に、扉や棚板も自在に取り付けることができる現地製作型壁面収納家具及びその製作方法の提供を課題とする。
【課題を解決するための手段】
【０００５】
上記課題を達成するため、本発明の現地製作型壁面収納家具は、所定の設置位置において直接的に製作する現地製作型壁面収納家具であって、略長方形状のレベルアジャスター付き家具底板と、家具の天井をなす家具天板と、家具の側壁をなす一対の家具側板と、壁面に対して固定される基礎横木と、縦柱部と横柱部とからなり前記家具底板にそれぞれ立設される一対の鉤形枠柱とを少なくとも有し、前記家具底板は、その一辺を壁面に当接させた状態で水平状態に床面に固定され、前記基礎横木は、前記家具底板に対応して壁面上部に水平状態に固定されると共にその下面に前記家具天板の一辺を受け入れて係合させる係合段部を備え、前記一対の鉤形枠柱は、その縦柱部で前記家具底板の両コーナ部に凹凸嵌合して立設されると共にその横柱部の先端が壁面に当接され、前記家具天板は、その一辺で前記基礎横木の係合段部に係合されると共に前記一対の鉤形枠柱の横柱部上に載せられた状態でそれぞれ基礎横木と鉤形枠柱に固定されていることを第１の特徴としている。
また本発明の現地製作型壁面収納家具は、上記第１の特徴に加えて、鉤形枠柱を、家具底板の両コーナ部以外の中間にも立設させることを第２の特徴としている。
また本発明の現地製作型壁面収納家具は、上記第１又は第２の特徴に加えて、鉤形枠柱の縦柱部に棚受アームを取り付けることを第３の特徴としている。
また本発明の現地製作型壁面収納家具は、上記第１〜第３の何れかに記載の特徴に加えて、鉤形枠柱の縦柱部に扉取付け金具を取り付けることを第４の特徴としている。
【０００６】
また本発明の現地製作型壁面収納家具の製作方法は、所定の設置位置において直接的に製作する現地製作型壁面収納家具の製作方法であって、略長方形状のレベルアジャスター付き家具底板と、家具の天井をなす家具天板と、家具の側壁をなす一対の家具側板と、下面に前記家具天板の一辺を受け入れて係合させる係合段部を備えた基礎横木と、縦柱部と横柱部とからなり前記家具底板にそれぞれ立設される一対の鉤形枠柱とを少なくとも用い、所定の配置場所において、前記家具底板の一辺を壁面に接した状態にして設置すると共にレベルアジャスターにより家具底板を水平状態に調整し、次に前記一対の鉤形枠柱を用いて該鉤形枠柱の到達高さ位置の壁面に前記基礎横木を水平配置して固定し、次に前記一対の鉤形枠柱をその縦柱部で前記家具底板の両コーナ部に凹凸嵌合させて立設すると共にその横柱部の先端を前記壁面に当接させ、次に前記家具天板をその一辺で前記基礎横木の係合段部に係合させると共に前記一対の鉤形枠柱の横柱部上に載せてそれぞれ前記基礎横木及び鉤形枠柱に固定し、その後、前記家具底板を床に固定することを第５の特徴としている。
また本発明の現地製作型壁面収納家具の製作方法は、上記第５の特徴に加えて、一対の鉤形枠柱を家具底板の両コーナ部に立設させる際に、他の鉤形枠柱を前記両コーナ部以外の中間にも立設することを第６の特徴としている。
また本発明の現地製作型壁面収納家具の製作方法は、上記第５又は第６の特徴に加えて、立設された鉤形枠柱の縦柱部に棚受アームを取り付けることを第７の特徴としている。
また本発明の現地製作型壁面収納家具の製作方法は、上記第５〜７の何れかに記載の特徴に加えて、立設された鉤形枠柱の縦柱部に扉取付け金具を取り付けることを第８の特徴としている。
【発明の効果】
【０００７】
請求項１に記載の現地製作型壁面収納家具によれば、家具底板、基礎横木、家具天板、一対の鉤形枠柱、一対の家具側板によって、簡単に収納家具を壁面に構成することができる。この場合、床面に固定された家具底板と壁面に固定された基礎横木との間にあって、家具底板の両コーナに凹凸嵌合で立設された一対の鉤形枠柱の横柱部に対して家具天板が固定され、その家具天板が前記壁面に固定された基礎横木に固定されることで、収納家具の骨組みが完成されるので、家具の側板や仕切板を用いることなく収納家具としての骨組みができ、強度を達成することができる。また請求項１の収納家具では、その固定が壁面に固定された基礎横木に対して行われるため、結果として壁面の強度を共有することになり、地震等の揺れに対しても十分な強度を保つことができる。
また請求項１に記載の収納家具では、家具側板は必ずしも骨組みとしての強度には係らないので、現地作成型の壁面収納家具を壁面に沿って２連結するなど拡張する場合には、前記家具側板を元の位置から取り外して拡張することができ、内部空間が仕切られない広い空間を持った収納家具を、十分な強度でもって構成することができる。
また家具天板は基礎横木の下面の係合段部に係合されるため、家具天板に隙間が生じない。
【０００８】
請求項２に記載の現地製作型壁面収納家具によれば、上記請求項１に記載の構成による効果に加えて、鉤形枠柱を家具底板の両コーナ部以外の中間にも立設させることにより、仕切板を用いることなく、よって内部空間を不要に仕切ることなく、収納家具の中間部の強度を向上させることができる。また立設された鉤形枠柱を用いて、扉の取り付けや棚受アームの取り付けを行うことが容易にできる。
【０００９】
請求項３に記載の現地製作型壁面収納家具によれば、上記請求項１又は２に記載の構成による効果に加えて、鉤形枠柱の縦柱部に棚受アームを取り付けることで、仕切板を用いることなく棚受アームによって棚を配置することができる。また棚を収納家具内空間の前面側に配置することができ、収納家具内空間の背面側には棚を配することなく広い収納スペースを持たせることが可能である。
【００１０】
請求項４に記載の現地製作型壁面収納家具によれば、上記請求項１〜３の何れかに記載の構成による効果に加えて、鉤形枠柱の縦柱部に扉取付け金具を取り付けることで、仕切板を用いることなく、従って収納家具の内部空間を不要に仕切ることなく、必要な扉を自在に取り付けることができる。
【００１１】
請求項５に記載の現地製作型壁面収納家具の製作方法によれば、家具底板、基礎横木、家具天板、一対の鉤形枠柱、一対の家具側板によって、簡単に収納家具を壁面に製作することができる。そしてこの場合、一対の鉤形枠柱を用いて該一対の鉤形枠柱の到達高さ位置の壁面に基礎横木を水平配置して固定するようにしているので、他の計測装置を用いることなく、また壁面に線引や、その線に基礎横木を合わせる作業を行うことなく、基礎横木を非常に簡単に、所定の高さ位置に且つ水平状態に配置固定することができる。
壁面に固定されるのは基礎横木だけであるので、壁面に対する釘やネジなどの固定跡を少なくすることができる。そして前記家具底板は最終的に床に固定されるので、該床に固定された家具底板と壁面に固定された基礎横木との間に堅固な収容家具を製作することができる。また家具底板を固定するまでは、レベルアジャスターで高さや水平の調整が引き続き可能であるので、家具底板に立設された一対の鉤形枠柱が基礎横木の下面に丁度当接するように調整し、また家具天板を基礎横木の係合段部に正確に係合すると共に鉤形枠柱の横柱部上にも丁度接するように調整することができるので、家具天板と鉤形枠柱と基礎横木とを相互に隙間が生じたりすることなく確実に固定することができ、堅固な壁面収納家具を製作することができる。
【００１２】
請求項６に記載の現地製作型壁面収納家具の製作方法によれば、上記請求項５に記載の構成による効果に加えて、一対の鉤形枠柱を家具底板の両コーナ部に立設させる際に、他の鉤形枠柱を前記両コーナ部以外の中間にも立設することにより、収納家具の内空を仕切板で仕切ってしまうことなく、鉤形枠柱を用いて扉を容易に取り付けることができる収納家具の強度を上げることができると共に、扉を立設された鉤形枠柱に取り付けることができる。
【００１３】
請求項７に記載の現地製作型壁面収納家具の製作方法によれば、上記請求項５又は６に記載の構成による効果に加えて、立設された鉤形枠柱の縦柱部に棚受アームを取り付けることで、仕切板を用いることなく、棚受アームによって棚を配置することができる。また棚を収納家具内空間の前面側に配置することができ、収納家具内空間の背面側には棚を配することなく広い収納スペースを持たせることが可能である。
【００１４】
請求項８に記載の現地製作型壁面収納家具の製作方法によれば、上記請求項５〜７の何れかに記載の構成による効果に加えて、立設された鉤形枠体の縦柱部に扉取付け金具を取り付けることで、仕切板を用いることなく、従って収納家具の内部空間を不要に仕切ることなく、必要な扉を自在に取り付けることができる。
【発明を実施するための最良の形態】
【００１５】
以下の図面を参照して、本発明の実施の形態に係る現地製作型壁面収納家具及びその製作方法について説明し、本発明の理解に供する。しかし、以下の説明は本発明の具体例であって、特許請求の範囲に記載の内容を限定するものではない。
【００１６】
図１は本発明の実施形態に係る現地製作型壁面収納家具の概要を説明する斜視図、図２は図１の分解斜視図、図３〜図９は本発明の実施形態に係る現地製作型壁面収納家具の製作方法の各工程を説明する図である。
【００１７】
図１、図２を参照して、本実施形態に係る現地製作型壁面収納家具は、家具底板１０と、家具天板２０と、一対の家具側板３０と、基礎横木４０と、鉤形枠柱５０とを少なくとも有し、その他に収納家具の前面に取り付けられる扉や引戸、家具内部に設けられる棚やその他の部材からなる。
【００１８】
前記家具底板１０は、現地製作型収納家具の基台をなす部材で、所定の壁面位置に沿った床面Ｆに設置される。略長方形状（正方形状を含む）を有し、下面に複数個（図面上は８個）のレベルアジャスター１１を備えている。このレベルアジャスター１１により床面Ｆに設置される家具底板１０の姿勢を調整することができる。家具底板１０の一辺は壁面Ｗに当接される。
家具底板１０の上面の両コーナ部１０ａにダボ孔１２が設けられている。また前記両コーナ部１０ａの中間においても、１乃至複数個所に凹凸嵌合用の孔としてダボ孔１２が設けられている。ダボ孔１２には、必要に応じて凹凸嵌合用のピンとしてダボ８１が嵌め込まれる。
前記において両コーナ部１０ａとは、家具底板１０の上面のうち、壁面Ｗから遠い方の隅部を言う。また両コーナ部１０ａの中間とは、家具底板１０の上面のうち、壁面Ｗから遠い方の辺に沿った領域を言う。
前記ダボ孔１２は各場所に２個ずつを、辺に直角な方向に少し離間して配置し、後述する鉤形枠柱５０が凹凸嵌合した際に、容易に回転しないようにしている。
家具底板１０の上面のうち、壁面Ｗに近い側には、レベルアジャスター１１をドライバー操作するための操作孔１３を設けることができる。これによって、手で操作しにくい壁面Ｗ側のレベルアジャスター１１を容易に調整することができる。
【００１９】
前記家具天板２０は、家具の天井をなす部材である。略長方形状をなし、下面の両側辺付近にそれぞれ連結金具２１が設けられている。連結金具２１は鉤形枠体５０との連結固定を行うための金具である。連結金具２１の取付数は各側辺毎に２個一対で設けるが、個数は限定されない。
家具天板２０には、壁面Ｗ側の辺に沿って固定用の貫通孔２２が複数設けられている。この貫通孔２２は、ピンやネジ等の連結具を通して基礎横木４０に固定するための孔である。
【００２０】
前記家具側板３０は、収納家具の側壁となる一対の部材である。家具側板３０は、鉤形枠柱５０に対して、ネジ、連結金具、その他の固定手段で固定される。
この家具側板３０は、どちらかと言うと化粧板的な役割をなし、それ自体が収納家具の強度を保持するための骨組みを構成するものではない。
なお、図１に示されるようなものを２つ合併して拡張された収納家具とする場合には、境界となる部分の家具側板３０は、その取り付けが省略される。境界の家具側板３０が省略されても、それによって収容家具の骨組みが無くなるわけではない。骨組みは鉤形枠柱５０が受け持ち、構造強度を保持する。
【００２１】
前記基礎横木４０は、現地製作型収納家具の壁面Ｗへの取り付けの基礎となる部材である。該基礎横木４０は、現地の所定の壁面Ｗ位置に、所定の高さで、水平状態に固定される。
基礎横木４０の下面には係合段部４１が形成されている。この係合段部４１は前記家具天板２０の一辺を受け入れて係合する段部で、段部の落差寸法は家具天板２０の厚みと同じ寸法とされている。
基礎横木４０には、その側面に貫通孔４２を設けることができる。この貫通孔４２は基礎横木４０を壁面Ｗに釘８３（図４参照）等の連結手段で固定する際に利用される。
前記家具天板２０が係合する基礎横木４０の係合段部４１の天井部には、前記家具天板２０の貫通孔２２に対応して、連結ネジ等の受入れ孔を設けることができる。
【００２２】
前記鉤形枠柱５０は、家具底板１０と家具天板２０との間における骨組みを構成する部材である。
本実施形態の場合は、鉤形枠柱５０は前記家具底板１０の両コーナ部１０ａに立設される一対の鉤形枠柱５０、５０の他、両コーナ部１０ａ以外の中間部に立設される今１本の鉤形枠柱５０を用意して、計３本としている。
鉤形枠柱５０は、縦柱部５１と横柱部５２からなる。
縦柱部５１の底面には、図示しない凹凸嵌合用の孔（ダボ孔）を形成している。この縦柱部５１底面のダボ孔は前記家具天板１０のダボ孔１２に対応するものである。
鉤形枠柱５０の縦柱部５１の一側には、扉６０（図９参照）の取付け金具としての兆番８２を取り付けるための下孔５１ａを設けることができる。
前記横柱部５２は、収納家具の肩部の骨組みとなるもので、縦柱部５１が家具底板１０に立設された状態で、横柱部５２の先端面が壁Ｗに丁度当接する寸法としている。横柱部５２の一側側面には連結金具５２ａが前記家具天板２０の連結金具２１に対応して設けられている。この連結金具５２ａと連結金具２１とが結合されることで、横柱部５２の上に家具天板２０の側辺部が載った状態で相互に固定される。
横柱部５２の一側には家具側板３０を固定するための貫通孔５２ｂを設けることができる。
【００２３】
現地製作型壁面収納家具の製作方法の実施形態を説明する。
先ず図３を参照して、家具底板１０を用意し、所定の設置位置の壁面Ｗに対して家具底板１０の一辺を当接する。そしてその当接した状態でレベルアジャスター１１を調整して、家具底板１０を水平状態にする。
次に図４を参照して、一対の鉤形枠柱５０を用い、該鉤形枠柱５０を上下逆にして、その横柱部５２を壁面Ｗに沿わせて家具底板１０上に当接させると共に、縦柱部５１を家具底板１０の壁面Ｗに当接した角部付近に壁面Ｗに対して垂直に当接状態にして立て掛ける。そして仮置いた一対の縦柱部５１、５１上に基礎横木４０を渡して、壁面に仮止めする。そして基礎横木４０が家具底板１０に対して水平方向にズレていない状態を確認して、基礎横木４０を壁面Ｗに固定する。固定は釘８３を基礎横木４０の貫通孔４２を介して壁面Ｗに打ち付けて行う。これにより、基礎横木４０が所定の壁面Ｗ位置に水平方向に固定が完了する。勿論、ネジやその他の連結手段を用いて壁面Ｗに固定してもよい。
【００２４】
次に図５を参照して、前記家具底板１０と基礎横木４０が設置された後、鉤形枠柱５０を家具底板１０に立設する。立設は、一対の鉤形枠柱５０を家具底板１０の両コーナ部１０ａに立設する。本実施形態の場合は、もう１本の鉤形枠柱５０を家具底板１０の前記両コーナ部１０ａの中間の位置に立設する。立設は、家具底板１０の上面に設けたダボ孔１２に差し込まれて突出するダボ８１に対して、鉤形枠柱５０の縦柱部５１の底面に形成した図示しない凹凸嵌合用の孔（ダボ孔）を差し込むことで行う。このとき鉤形枠柱５０の横柱部５２の先端が壁面Ｗに対して当接する向きに差し込む。
【００２５】
次に図６、図７を参照して、家具天板２０を用い、この家具天板２０の一辺を壁面Ｗに固定された基礎横木４０の係合段部４１に差し入れて係合させる。そしてこの家具天板２０の両側辺の端面が鉤形枠柱５０の横柱部５２の側面と面一になるようにして、家具天板２０を横柱部５２の上に載せる。そして家具天板２０の連結金具２１と横柱部５２の連結金具５２ａとで、両者を結合固定する。また家具天板２０の貫通孔２２を用いて、図示しないネジを家具天板２２から基礎横木４０に差し込んで固定する。勿論、家具天板２０と基礎横木４０との固定は、前記ネジ以外の連結手段を用いて行うことができる。
家具天板２０が鉤形枠柱５０及び基礎横木４０に固定されることで、家具底板１０と基礎横木４０及びその間の家具天板２０と鉤形枠柱５０とによる収納家具の骨組みができる。
収納家具の骨組みが完成した時点、若しくはその後において、家具底板１０を床面Ｆに固定し、地震等の力が加わることで収納家具が動くのを防止する、床面Ｆへの固定は、例えばレベルアジャスター１１の部分をネジや釘、その他の結合手段を用いて床面Ｆに結合することで行うことができる。
【００２６】
次に図８を参照して、家具側板３０を取り付ける。取り付けは、鉤形枠柱５０の横柱部５２に設けた貫通孔５２ｂを用い、また縦柱部５１にも図示しない同様な貫通孔を設ける等して、ネジ固定やその他の方法で、鉤形枠柱５０に取り付けることができる。取り付けの手段は特に限定されるものではない。家具側板３０は収納家具の骨組みそのものではないので、この家具側板３０を外すことが可能である。
従って横方向に拡張した、即ち収納空間を増やした収納家具を構成する場合には、拡張すべき部分の家具側板３０を取り外すことができ、収納空間が家具側板３０で仕切られることなく、骨組みを拡張することができる。また家具側板３０が外されても家具の骨組みが崩れることはないので、家具としての強度も保たれる。
【００２７】
図９も参照して、収納家具の前面に扉６０を取り付ける場合には、鉤形枠柱５０の縦柱部５１に設けた下孔５１ａ（図８参照）を用いて、兆番８２等を縦柱部５１に取り付けることができる。この場合、収納家具の両コーナ部１０ａ以外の中間に設けた鉤形枠柱５０を利用して扉６０用の兆番を取り付けるようにすれば、従来のように仕切板を用いて兆番を取り付ける必要がなくなるので、収納家具の収納空間を仕切板で仕切ってしまうことなく自在に扉６０を取り付けるができる。
また棚７０を取り付ける場合には、鉤形枠柱５０の縦柱部５１の背面に棚受アーム７１を取り付けることで、棚７０を載せることができる。この場合、棚受アーム７１は、収納家具の前面に近い位置に立設される縦柱部５１から背面方向に向って取り付けられるので、該棚受アーム７１と棚７０を収納家具内の前面側に配置し、背面付近には棚７０等の存在しない広い収納空間を残すことが可能である。
【図面の簡単な説明】
【００２８】
【図１】本発明の実施形態に係る現地製作型壁面収納家具の概要を説明する斜視図である。
【図２】図１に係る現地製作型壁面収納家具の各部材を示す分解斜視図である。
【図３】家具底板の設置を説明する斜視図である。
【図４】鉤形枠柱を用いて基礎横木を壁面の所定位置へ取り付けする仕方を説明する図である。
【図５】鉤形枠柱を家具底板に立設する仕方を説明する図である。
【図６】家具天板の取り付けを説明する図である。
【図７】家具天板の取り付けを説明する部分拡大図である。
【図８】家具側板の取り付けを説明する図である。
【図９】扉や棚の取り付けを説明する図である。
【符号の説明】
【００２９】
１０            家具底板
１０ａ          コーナ部
１１            レベルアジャスター
１２            ダボ孔
１３            操作孔
２０            家具天板
２１            連結金具
２２            貫通孔
３０            家具側板
４０            基礎横木
４１            係合段部
４２            貫通孔
５０            鉤形枠柱
５１            縦柱部
５１ａ          下孔
５２            横柱部
５２ａ          連結金具
５２ｂ          貫通孔
６０            扉
７０            棚
７１            棚受アーム
８１            ダボ
８２            兆番
８３            釘
Ｗ              壁面
Ｆ              床面
【図１】
2008121327.tif 000003
【図２】
2008121327.tif 000004
【図３】
2008121327.tif 000005
【図４】
2008121327.tif 000006
【図５】
2008121327.tif 000007
【図６】
2008121327.tif 000008
【図７】
2008121327.tif 000009
【図８】
2008121327.tif 000010
【図９】
2008121327.tif 000011